(57)【要約】      （修正有）【課題】小型化を図ることができるとともに取り扱いが容易である水中電界測定装置を提供する。【解決手段】水中に配される電極２と、線状の導体を含む心線３aを内部に有し絶縁体３bにより被覆されたケーブル３と、前記電極と前記ケーブルの心線との接続部位が水に接しないように被覆するための絶縁被覆材４とを備えている水中電界測定装置１において、前記電極が前記ケーブルの外周に巻き回され銀又は銀化合物により形成された線状の導体である構成。【選択図】図２
2014232022.tif 000002
【特許請求の範囲】
【請求項１】
水中に配される電極と、線状の導体を含む心線を内部に有し絶縁体により被覆されたケーブルと、前記電極と前記ケーブルの心線との接続部位が水に接しないように被覆するための絶縁被覆材とを備えている水中電界測定装置であって、前記電極が前記ケーブルの外周に巻き回され線状の銀又は銀化合物により形成された導体であることを特徴とする水中電界測定装置。
【発明の詳細な説明】
【技術分野】
【０００１】
本発明は、船舶の存在により発生する水中電界を検出するための水中電界測定装置に関する。
【背景技術】
【０００２】
従来、船舶の存在により発生する電界を検出するための水中電界測定装置として、内部に電極を設けてなる本体と、この本体に取り付けられ線状の導体を含む心線を内部に有し絶縁体により被覆されたケーブルとを備えてなるものが種々考えられてきている。このような水中電界測定装置の一例として、本体に一端から他端に貫通するケーブル挿通孔を設け、このケーブル挿通孔にケーブルを挿通するようにしているとともに、本体に電極を収納するための電極収納部を設けるとともにこの電極収納部と本体外部とを連通する取水口を本体に形成し、さらに、電極から伸びるリード線を本体外部に導出し、導出したリード線を前記ケーブルから引き出した前記心線に接続する構成のものが考えられている（例えば、特許文献１を参照）。
【０００３】
しかして、このような構成では、本体内部に電極収納部及びケーブル挿通孔を設ける必要があることから、本体の形状が大型のものとなるという問題が存在する。また、本体内部に電極等を収納するようにしていることから、水中に投入する際には本体が破損しないよう注意を払う必要があるという問題も存在する。さらに、本体の電極収納部内には、保管時においても水を満たしておく必要があるため、保管時には水漏れに注意を払う必要があるという問題も存在する。
【先行技術文献】
【特許文献】
【０００４】
【特許文献１】特開２００７−２８５８６４号公報
【発明の概要】
【発明が解決しようとする課題】
【０００５】
本発明は以上の点に着目し、小型化を図ることができるとともに取り扱いが容易である水中電界測定装置を実現することを目的とする。
【課題を解決するための手段】
【０００６】
以上の課題を解決すべく、本発明に係る水中電界測定装置は、以下に述べるような構成を有する。すなわち本発明に係る水中電界測定装置は、水中に配される電極と、線状の導体を含む心線を内部に有し絶縁体により被覆されたケーブルと、前記電極と前記ケーブルの心線との接続部位が水に接しないように被覆するための絶縁被覆材とを備えている水中電界測定装置であって、前記電極が前記ケーブルの外周に巻き回され銀又は銀化合物により形成された線状の導体である。
【０００７】
このようなものであれば、ケーブルの外周に電極を巻き回すようにしているので、装置全体の直径はケーブルの直径と大きく変わらず、飛躍的な小型化を図ることができる。さらに、このような構成であれば、保管時に電極が水に触れるようにしておく必要がないので、保管を容易に行うこともできる。
【発明の効果】
【０００８】
本発明によれば、小型化を図ることができるとともに保管が容易である水中電界測定装置を実現することができる。
【図面の簡単な説明】
【０００９】
【図１】本発明の一実施形態に係る水中電界測定装置の全体を示す概略図。
【図２】同実施形態に係る水中電界測定装置の要部を示す概略図。
【発明を実施するための形態】
【００１０】
本発明の一実施形態を図１及び図２を参照しつつ以下に示す。
【００１１】
本実施形態に係る水中電界測定装置１は、図１及び図２に示すように、水中に配される電極２と、線状の導体を含む心線３ａを内部に有し絶縁体３ｂにより被覆されたケーブル３と、前記電極２と前記ケーブル３の心線３ａとの接続部位が水に接しないように被覆するための絶縁被覆材４と、前記電極２を水中と同電位となる状態で被覆する電極保護材５とを備えている。この水中電界測定装置１は、付近を航行する該船舶１０の船底に貼付した亜鉛板１０ａ（又は該船舶２の鉄製の船体）から該船舶１０の後尾に位置する銅合金製のスクリュー１０ｂに向かって該船舶１０の付近を流れる電流Ｊに起因して発生する電界を検知するためのものである。また、この水中電界測定装置１は、ブイ６から吊り下げて設けられており、前記ケーブル３の上端側を前記ブイ６に接続しているとともに、前記ケーブル３の下端側におもり７を取り付けた状態で海中に配されている。なお、図２において、絶縁被覆材４及び電極保護材５は想像線により示している。
【００１２】
前記電極２は、前記ケーブル３の外周に巻き回された線状の導体である。より具体的には、この電極２は、銀の表面に塩化銀の被膜を形成した線状のものである。また、この電極２は２つを対にして設けられており、船舶１０の付近を流れる前記電流Ｊに起因して発生する対をなす電極２間の電位差を検知し、前記ケーブル３を介してブイ６に内蔵した図示しない情報処理装置に電界強度信号として出力する。対をなす電極２間の間隔は任意であるが、例えばブイ６からこの水中電界測定装置１を吊り下げて用いる場合には、電極２間の間隔を約１ｍに設定している。そして、この電極２の一端側は水中と同電位となるように水中に露出しているとともに、他端側は前記ケーブル３の前記心線３ａに接続されている。
【００１３】
前記ケーブル３は、前述したように、線状の導体を含む前記心線３ａを内部に有し絶縁体３ｂにより被覆された、この種の水中電界測定装置１に用いられるものとして周知のものである。このケーブル３の上端は、前述したようにブイ６に接続されている。より具体的には、このケーブル３の各心線３ａは、前記ブイ６に内蔵した情報処理装置に接続されていて、この情報処理装置に前記対をなす電極２間の電位差を示す信号を伝達する。また、このケーブル３の絶縁体３ｂの一部は、前記心線３ａを露出させ、前記電極２の基端側と接続させるために引きはがされている。そして、前記心線３ａと前記電極２との接続部位を周囲の海水と電気的に絶縁させるべく、このケーブル３の絶縁体３ｂを引きはがした部位を、前記絶縁被覆材４により被覆するようにしている。
【００１４】
前記絶縁被覆材４は、前記電極２の基端側の部位と、前記ケーブル３の絶縁体３ｂを引きはがした箇所に跨る部位の外側に巻き回されている。この絶縁被覆材４は、外側の部位から内側の部位に海水を透過させない材料、例えばビニールテープ等の絶縁体３ｂにより構成されている。また、この絶縁被覆材４は、本実施形態では、前記電極保護材５と前記ケーブル３の延伸方向に隣接させた状態で配されている。
【００１５】
前記電極保護材５は、本実施形態では不織布により形成されており、前記電極２の先端側の部位の外側に巻き回されている。この電極保護材５は、海中に配された状態で該電極保護材５の外側から内側に海水を透過させることが可能である。すなわち、この電極保護材５の内側に位置する前記電極２の電位は、該電極保護材５のすぐ外側の位置の電位と略等しい。また、この電極保護材５は、前記電極２が前記ケーブル３から引きはがされる作用を外部から受けないようにすべく保護する機能、並びに前記電極２に異物が付着しないように保護する機能を有する。
【００１６】
この水中電界測定装置１の使用時には、前記電極保護材５が周囲から水分を吸収し、電極２の先端側はこの電極保護材５に接しており、又は前記電極保護材５とケーブル３との隙間を介してケーブル３の長手方向両側から進入した水に直接接しているので、この電極２が配された位置における電界を検知可能である。そして、この電極２の先端側により検知した電界は、この電極２の基端側に電気的に接続したケーブル３内の心線３ａを介して前記情報処理装置に出力される。
【００１７】
以上に述べたように、本実施形態の構成によれば、ケーブル３の外周に電極２を巻き回すようにしているので、装置全体の直径はケーブル３の直径と大きく変わらず、飛躍的な小型化を図ることができる。さらに、このような構成であれば、保管中に電極２に気泡が付着して水中への設置後に電極２の特性が変化する不具合が発生せず、従って保管時に電極２が水に触れるようにしておく必要がないので、保管を容易に行うこともできる。加えて、ケーブル３の外周に電極２を巻き回すようにしているので、本体内部の電極収納部に電極を収納する構成に起因する問題、すなわち、水中に投入する際に本体が破損しないよう注意を払う必要があるという問題や、電極を巻き回した箇所でケーブルが湾曲又は屈曲した場合に本体が破損する恐れがあるという問題が発生し得ず、取り扱いが容易である。
【００１８】
加えて、銀の表面に塩化銀の被膜を形成した線状の電極２を使用しているので、電極２が水中でイオン化しにくく、かつ金や白金を使用した電極と比較して安価でかつノイズが少ないという特性を実現できる。
【００１９】
さらに本実施形態では、電極２の外側に前記電極保護材５を巻き回しているので、この電極保護材５により前記電極２は前記ケーブル３から引きはがされる作用を外部から受けないようにすべく保護され、電極２が前記ケーブル３から引きはがされて変形することによりこの水中電界測定装置１の機能が損なわれる不具合の発生を抑制することができる。その上、この電極保護材５により前記電極２に異物が付着しないように保護されるので、異物の付着に伴う電極２の特性変化、及びこの特性変化に伴いこの水中電界測定装置１の機能が損なわれる不具合の発生を抑制することができる。
【００２０】
なお、本発明は以上に述べた実施形態に限らない。
【００２１】
例えば、上述した実施形態では、電極の先端側を不織布により形成された電極保護材により保護する構成を採用しているが、不織布以外の水を透過させることが可能な材料により電極保護材を形成してももちろんよい。また、電極保護材を省略する構成を採用してももちろんよい。一方、絶縁被覆材も、ビニールテープに限らず、電極とケーブルの心線との接続箇所を周囲の海水から絶縁可能であれば、種々の材料を用いることが可能である。
【００２２】
さらに、上述した実施形態では、本発明の水中電界測定装置をブイから吊り下げて設置するようにしているが、本発明の水中電界測定装置を船舶から吊り下げて設置するようにしてもよく、さらに、陸上に設けた管理設備にケーブルの上端側を接続する態様を採用してももちろんよい。
【００２３】
加えて、上述した実施形態では、電極が、銀の表面に塩化銀の被膜を形成した線状のものであるが、塩化銀以外の銀化合物の被膜を銀の表面に施した線状の導体により形成されたものであってもよい。
【００２４】
その他、本発明の趣旨を損ねない範囲で種々に変更してよい。
【符号の説明】
【００２５】
１…水中電界測定装置
２…電極
３…ケーブル
３ａ…心線
３ｂ…絶縁体
４…絶縁被覆材
【図１】
2014232022.tif 000003
【図２】
2014232022.tif 000004